(57)【要約】【課題】コンパクトに折りたたむことができ、運搬性や収納性に優れた仮設足場用幅木及び該仮設足場用幅木が取り付けられた仮設足場を提供することを目的とする【解決の手段】隣接する内側支柱１ａ間に踏板３に沿って起立状態で張設される帯状起立部１０と、帯状起立部１０の踏板側の面の略下端縁に沿って翻動自在に接合され、自由端側が踏板３の上面に略水平状態で載置される帯状底部１２と、柔軟性を有するシート状材料からなり帯状起立部１０の両端から延伸して内側支柱１ａを巻き込むようにして折り返されて帯状起立部１０との重なり部分に取り付けられた面ファスナーによって内側支柱１ａに着脱自在に巻き付けられる固定部１１とからなり、帯状起立部１０及び帯状底部１２は、互いに重ね合わせ自在であり、且つ長さ方向について折りたたみ自在となるように複数の矩形の板状部材１０ａ、１２ａを横方向に連結して構成されたことを特徴とする。【選択図】図１
2010281097.tif 000002
【特許請求の範囲】
【請求項１】
所定間隔で配列された複数の支柱と、該複数の支柱の夫々にその配列方向と直角をなす方向に取り付けられた踏板支持材と、隣接する前記踏板支持材間に架け渡された踏板と、を有する仮設足場に取り付けられる、作業中の器物の落下防止用の仮設足場用幅木であって、
隣接する支柱間に前記踏板に沿って起立状態で張設される帯状起立部と、
前記帯状起立部の踏板側の面の略下端縁に沿って翻動自在に接合され、自由端側が踏板の上面に略水平状態で載置される帯状底部と、
柔軟性を有するシート状材料からなり、前記帯状起立部の両端から延伸して前記支柱を巻き込むようにして折り返されて、前記帯状起立部との重なり部分に取り付けられた面ファスナーによって前記支柱に着脱自在に巻き付けられる固定部と、からなり、
前記帯状起立部及び帯状底部は、互いに重ね合わせ自在であり、且つ長さ方向について折りたたみ自在となるように複数の矩形板状材料を横方向に連結して構成された仮設足場用幅木。
【請求項２】
請求項１に記載した仮設足場用幅木が取り付けられた仮設足場。
【発明の詳細な説明】
【技術分野】
【０００１】
本発明は、建物等の建設工事中に使用する仮設足場に付加する仮設足場用幅木、及び仮設足場に関するものである。
【背景技術】
【０００２】
一般に建物等の建設工事の際には、建物外周に沿って仮設足場が構築され、更に外部側についてはメッシュ状の養生シートが張り巡らされる。この場合、外部側に器物が落下する虞は少ないが、建物側については開放状態とし且つ建物との間に隙間を設けざるを得ず、このような隙間から工具やボルトなどの器物が落下して下階あるいは地上での作業者が危険に晒される虞がある。このような器物の落下による事故を防ぐ為に、仮設足場を構成する踏板の建物側の端縁部に沿って起立した幅木が付加されることがある。しかしながら、従来の幅木は、足場を構成する他の部材と同様に金属材料で構成されるのが一般的で、重量がありしかも嵩張るので運搬性や収納性という点で難点があった。
【０００３】
特許文献１には折りたたみ式の足場用保護板が提案されている。しかし、横長踏板を折りたたんで起立壁板に重ね合わせることができるに留まり、運搬性や収納性の問題は充分解消されていない。
【先行技術文献】
【特許文献】
【０００４】
【特許文献１】特開２００５‐０２０７６１号公報
【発明の概要】
【発明が解決しようとする課題】
【０００５】
本発明は、上記従来技術が有する課題を解決するものであり、コンパクトに折りたたむことができ、運搬性や収納性に優れた仮設足場用幅木、及び該仮設足場用幅木が取り付けられた仮設足場を提供することを目的とするものである。
【課題を解決するための手段】
【０００６】
上記従来技術の課題を解決するため、本発明に係る仮設足場用幅木は、所定間隔で配列された複数の支柱と、該複数の支柱の夫々にその配列方向と直角をなす方向に取り付けられた踏板支持材と、隣接する前記踏板支持材間に架け渡された踏板と、を有する仮設足場に取り付けられる、作業中の器物の落下防止用の仮設足場用幅木であって、隣接する支柱間に前記踏板に沿って起立状態で張設される帯状起立部と、前記帯状起立部の踏板側の面の略下端縁に沿って翻動自在に接合され、自由端側が踏板の上面に略水平状態で載置される帯状底部と、柔軟性を有するシート状材料からなり、前記帯状起立部の両端から延伸して前記支柱を巻き込むようにして折り返されて、前記帯状起立部との重なり部分に取り付けられた面ファスナーによって前記支柱に着脱自在に巻き付けられる固定部と、からなり、前記帯状起立部及び帯状底部は、互いに重ね合わせ自在であり、且つ長さ方向について折りたたみ自在となるように複数の矩形板状材料を横方向に連結して構成されたことを特徴としている。
【０００７】
また、本発明に係る仮設足場は、上記構成の仮設足場用幅木が取り付けられたことを特徴としている。
【発明の効果】
【０００８】
本発明によれば、コンパクトに折りたたむことができ着脱も容易で、運搬性、収納性、及び作業性に優れた仮設足場用幅木、及び該仮設足場用幅木が取り付けられた仮設足場を提供することができる。
【図面の簡単な説明】
【０００９】
【図１】本発明の仮設足場用幅木及び該仮設足場用幅木が取り付けられた仮設足場の斜視図である。
【図２】展開状態の仮設足場用幅木の表面（ａ）及び裏面（ｂ）を示す図である。
【図３】仮設足場用幅木が折りたたまれる様子を示す図である。
【発明を実施するための形態】
【００１０】
以下に図を参照して、本発明に係る仮設足場用幅木、及び仮設足場用幅木が取り付けられた仮設足場の一実施形態を説明する。本実施形態において、仮設足場用幅木Ａが取り付けられる仮設足場Ｂは、図１に示すようなブラケット式足場である。ブラケット式足場とは、支柱１（１ａ、１ｂ）、ブラケット（踏板支持材）２、踏板３等の部材を、主にクランプを用いて連結して構成した足場である。
【００１１】
支柱１（１ａ、１ｂ）は長尺の単管からなり、内部側（建物側）に立設される内側支柱１ａと外部側に立設される外側支柱１ｂとに区分され、これらが建物の壁面に沿って二列縦隊状態で複数配列される。ブラケット２は、所定の高さで踏板３を支持する為の部材であり、水平材の中間部を支持するように頬杖状の斜材が取り付けられ、根元側となる水平材の一端及び斜材の下端には外側支柱１ｂに連結する為のクランプ部を有し、先端側となる水平材の他端には内側支柱１ａに連結する為のクランプ部を有して構成されている。ブラケット２は外壁面に対して平面視直角に（支柱１の配列方向とは直角をなすように）外側支柱１ｂと内側支柱１ａとの間に介在するように取り付けられる。踏板３は、両短辺側に設けられたフックをブラケット２の水平材に掛止することで支持される。このような構成の仮設足場Ｂの外部側にはメッシュ状の養生シート（不図示）が張り巡らされる。
【００１２】
上記構成の仮設足場Ｂにおいて、仮設足場用幅木Ａが踏板３の内部側建物側の縁に沿って装着される。仮設足場用幅木Ａは、図２に示すように、帯状起立部１０、帯状底部１１及び一対の固定部１２とからなる。
【００１３】
帯状起立部１０は、２枚の長尺の軟質塩化ビニール製シート（軽量かつ高い引張り強度を有し、柔軟性、防水性、耐候性を備えたものであれば他の材料でもよい。）の間に、厚さ２ｍｍ程度のプラスチック段ボール（ポリプロピレン樹脂等の合成樹脂を原材料とした中空構造の板状成形品）からなり略同一の高さ寸法を有する４枚の矩形の板状部材１０ａを、互いに若干の間隔を保って挟み込み、板状部材１０ａ周縁の余白部及び板状部材１０ａ間の隙間部１０ｂにおいて軟質塩化ビニール製シートどうしを熱処理によって接合して構成されている。つまり、４枚の板状部材１０ａが、夫々独立した状態で軟質塩化ビニール製シートからなる連続した袋体の中に収容された状態となっている。従って、板状部材１０ａ間の３箇所の隙間部１０ｂにおいては、２枚の長尺の軟質塩化ビニール製シートのみの構成となっており、帯状起立部１０はこの部分で折りたたみ自在となっている。
【００１４】
帯状起立部１０の両端付近の、後述する固定部１２を内側支柱１ａを巻き込むようにして折り返した際に固定部１２と重なる部分には、面ファスナー（商品名：マジックテープ（登録商標）、ベルクロテープ等）を構成する一方の面ファスナー片１０ｃが縫合されている。また、仮設足場用幅木Ａを連続して設置する場合（1本の内側支柱１ａの両側に仮設足場用幅木Ａを設置する場合）に対応するため、上記面ファスナー片１０ｃが縫合された面（建物側に向く面）とは反対の面（仮設足場Ｂ側を向く面）の、隣接する仮設足場用幅木Ａの固定部１２を折り返さず一直線に伸ばした際に重なり合う部分には、連結用面ファスナー片１０ｄが縫合されている。
【００１５】
固定部１１は、帯状起立部１０を構成する２枚の長尺の軟質塩化ビニール製シートを両方向に延伸することによって構成されており、柔軟性を有している。建物側に向く面の内側支柱１ａに巻き付けた際に帯状起立部１０と重なり合う部位には、帯状起立部１０の面ファスナー片１０ｂ及び連結用面ファスナー片１０ｄと貼り合わせることが可能な面ファスナー片１１ａが縫合されている。
【００１６】
帯状底部１２は、帯状起立部１０と踏板３との間の隙間から器物が落下するのを防ぐものであり、帯状起立部１０に準ずる構成となっている。特に、２枚の軟質塩化ビニール製シートに収容された板状部材１２ａの長さは、帯状起立部１０と同一、つまり、板状部材１２ａ間の隙間部１２ｂのピッチが帯状起立部１０における板状部材１０ａ間の隙間部１０ｂと同一となっている。帯状底部１２は、長辺側の一方の端縁部を、帯状起立部１０の一方の面（面ファスナー片１０ｃが縫合される側）の下端縁に、帯状起立部１０と帯状底部１２の板状部材１０ａ、１２ａ間の隙間部１０ｂ、１２ｂの位置を一致させた状態で重ね合わせて熱処理により接合されており、該接合部を支点として帯状起立部１０に対し翻動自在に構成されている。従って、図３に示すように、帯状底部１２は帯状起立部１０に重ね合わせることができるとともに、更に重ね合わせた状態で長さ方向についても折りたたむことができる。
【００１７】
仮設足場用幅木Ａを仮設足場Ｂに装着する手順は以下の通りである。
（ａ）単独設置の場合
（１）帯状底部１０が踏板３側を向くようにして一方の固定部１１を対応する内側支柱１ａに巻きつけ面ファスナー片１０ｃ、１１ａどうしを貼り合わせる。（２）帯状起立部１０を延ばし、張力を与えながら他方の固定部１１を対応する内側支柱１ａに巻きつけ面ファスナー片１０ｃ、１１ａどうしを貼り合わせる。（３）帯状底部材１２の自由端側を踏板３の上に載せる。（４）帯状底部材１２がほぼ水平となるように高さ調整を行う。
【００１８】
（ｂ）連続設置の場合
（１）仮設足場用幅木Ａがまだ取り付けられていない側の内側支柱１ａに対しては、上記と同様に帯状底部１２が踏板３側を向くようにして一方の固定部１１を支柱に巻きつけ面ファスナー片１０ｃ、１１ａどうしを貼り合わせる。（２）既に仮設足場用幅木Ａが取り付けられている側について内側支柱１ａに巻きつけるのではなく、固定部１１の面ファスナー片１１ａを既に取り付けられた仮設足場用幅木Ａの連結用面ファスナー片１０ｄに張力が作用した状態を保って貼り合わせて連結する。
【００１９】
上記構成の仮設足場用幅木Ａによれば、帯状起立部１０と帯状底部１２とを重ね合わせ、Ｍ字状に折りたたみ、更に固定部１１を折り返す（巻きつける）ことによってコンパクトな状態にすることができるので運搬性や収納性に優れたものとすることができる。また、面ファスナーを用いて取り付けるので、着脱、張設の際の張力の付与、長さの調整等の作業を容易に行うことができる。更に、軽量で薄手の合成樹脂材料で構成されているので、仮設足場用幅木Ａ全体が軽量で運搬しやすい。
【００２０】
上記実施形態における仮設足場用幅木Ａの帯状起立部１０と帯状底部１２は、夫々板状部材１０ａ、１２ａ間の隙間部１０ｂ、１２ｂを３箇所有しているが、３箇所に限定されるものではない。また、上記実施形態における仮設足場Ｂはブラケット式足場であるが、これに限定されるものではなく、くさび式足場（支柱の所定の高さに設けられたコマ（楔受け部材）に対してブラケット等の部材の端部に形成された楔を嵌めて組み立てる足場）、枠組み足場等、踏板とその幅方向の辺の両端付近に支柱（縦材）が存在する足場であればよい。
【符号の説明】
【００２１】
Ａ      仮設足場用幅木
Ｂ      仮設足場
１      支柱
１ａ    外側支柱
１ｂ    内側支柱
２      ブラケット（踏板支持材）
３      踏板
１０    帯状起立部
１０ａ  板状部材
１０ｂ  間隙部
１０ｃ  面ファスナー片
１０ｄ  連結面ファスナー片
１１    固定部
１１ａ  面ファスナー片
１２    帯状底部
１２ａ  板状部材
１２ｂ  隙間部
【図１】
2010281097.tif 000003
【図２】
2010281097.tif 000004
【図３】
2010281097.tif 000005